(57)【要約】【課題】蛙又結節と特殊結節とを行える製網機及びその製網方法並びにその方法で製造した網を提供すること。【解決手段】本発明では、糸振りの作用で上鉤に縦糸のループを形成し、下鉤アームを前進させることによってループに下鉤を挿通し、糸振りの作用で下鉤に縦糸を引っ掛け、下鉤アームを後退させることによって下鉤に引っ掛けた縦糸で横糸を掬う第１の蛙又結節動作と、その後、下鉤アームを前進させるとともに、下鉤アームを下鉤が上鉤に形成された縦糸のループに挿通しない位置まで短縮し、その状態で糸振りを作動させてから、下鉤アームを下鉤が上鉤に形成された縦糸のループに挿通する位置まで伸長させる準備動作と、その後、糸振りの作用で下鉤に縦糸を引っ掛けるとともに、下鉤アームを後退させて下鉤に引っ掛けた縦糸で横糸を掬う第２の蛙又結節動作とを行うようにした。【選択図】図１
2008208493.tif 000002
【特許請求の範囲】
【請求項１】
駆動源に糸振りと上鉤と下鉤アームとを連動連結するとともに、上鉤と文銭との間で進退自在に配設した下鉤アームに下鉤を接続し、糸振りの作用で上鉤に縦糸のループを形成し、下鉤アームを前進させることによってループに下鉤を挿通し、糸振りの作用で下鉤に縦糸を引っ掛け、下鉤アームを後退させることによって下鉤に引っ掛けた縦糸で横糸を掬って、縦糸と横糸とを蛙又結節する製網機において、
下鉤アームに伸縮機構を設けて、下鉤アームを前進させた状態で下鉤が上鉤に形成された縦糸のループに挿通しない位置まで下鉤アームを短縮するように構成し、
糸振りの作用で上鉤に縦糸のループを形成し、下鉤アームを前進させることによってループに下鉤を挿通し、糸振りの作用で下鉤に縦糸を引っ掛け、下鉤アームを後退させることによって下鉤に引っ掛けた縦糸で横糸を掬う第１の蛙又結節動作と、
その後、前記第１の蛙又結節動作と逆方向の動作を行うことによって下鉤アームを前進させるとともに、伸縮機構によって下鉤アームを下鉤が上鉤に形成された縦糸のループに挿通しない位置まで短縮し、その状態で糸振りを作動させてから、伸縮機構によって下鉤アームを下鉤が上鉤に形成された縦糸のループに挿通する位置まで伸長させる準備動作と、
その後、前記第１の蛙又結節動作と同方向の動作を行うことによって糸振りの作用で下鉤に縦糸を引っ掛けるとともに、下鉤アームを後退させて下鉤に引っ掛けた縦糸で横糸を掬う第２の蛙又結節動作と、
を行うように構成したことを特徴とする製網機。
【請求項２】
糸振りの作用で上鉤に縦糸のループを形成し、下鉤を前進させることによってループに下鉤を挿通し、糸振りの作用で下鉤に縦糸を引っ掛け、下鉤を後退させることによって下鉤に引っ掛けた縦糸で横糸を掬い、その後、下鉤を上鉤に形成された縦糸のループに挿通しない位置まで前進させ、その状態で糸振りを作動させ、その後、下鉤を上鉤に形成された縦糸のループに挿通する位置まで前進させ、糸振りの作用で下鉤に縦糸を引っ掛け、下鉤を後退させることによって下鉤に引っ掛けた縦糸で横糸を掬うことを特徴とする製網方法。
【請求項３】
糸振りの作用で上鉤に縦糸のループを形成し、下鉤を前進させることによってループに下鉤を挿通し、糸振りの作用で下鉤に縦糸を引っ掛け、下鉤を後退させることによって下鉤に引っ掛けた縦糸で横糸を掬うことによって形成する蛙又結節と、
さらに、その後、下鉤を上鉤に形成された縦糸のループに挿通しない位置まで前進させ、その状態で糸振りを作動させ、その後、下鉤を上鉤に形成された縦糸のループに挿通する位置まで前進させ、糸振りの作用で下鉤に縦糸を引っ掛け、下鉤を後退させることによって下鉤に引っ掛けた縦糸で横糸を掬うことによって形成する特殊結節と、
を混在させて製網したことを特徴とする網。
【請求項４】
端縁三角部の一辺中途部を前記特殊結節とし、内側四角部を蛙又結節としたことを特徴とする請求項３に記載の網。
【発明の詳細な説明】
【技術分野】
【０００１】
本発明は、網とその製網方法とそれを行う製網機に関するものである。
【背景技術】
【０００２】
従来より、網の結節方法として蛙又結節が広く用いられており、蛙又結節した網を製造する装置として製網機が利用されている。
【０００３】
この蛙又結節した網を製造する製網機は、たとえば、特許文献１に開示されているように、駆動源に糸振りと上鉤と下鉤アームとを連動連結するとともに、上鉤と文銭との間で進退自在に配設した下鉤アームに下鉤を接続し、糸振りの作用で上鉤に縦糸のループを形成し、下鉤アームを前進させることによってループに下鉤を挿通し、糸振りの作用で下鉤に縦糸を引っ掛け、下鉤アームを後退させることによって下鉤に引っ掛けた縦糸で横糸を掬って、縦糸と横糸とを蛙又結節するように構成していた。
【０００４】
【特許文献１】特開２００６−５７２０１号公報
【発明の開示】
【発明が解決しようとする課題】
【０００５】
ところが、上記従来の製網機では、蛙又結節とは異なる特殊な結節を行うようにするには、その特殊な結節を行うための専用の動作を行わせるように装置自体を改良しなければならず、同一の製網機で蛙又結節と特殊な結節とを行って製網することは困難であった。
【課題を解決するための手段】
【０００６】
そこで、請求項１に係る本発明では、駆動源に糸振りと上鉤と下鉤アームとを連動連結するとともに、上鉤と文銭との間で進退自在に配設した下鉤アームに下鉤を接続し、糸振りの作用で上鉤に縦糸のループを形成し、下鉤アームを前進させることによってループに下鉤を挿通し、糸振りの作用で下鉤に縦糸を引っ掛け、下鉤アームを後退させることによって下鉤に引っ掛けた縦糸で横糸を掬って、縦糸と横糸とを蛙又結節する製網機において、下鉤アームに伸縮機構を設けて、下鉤アームを前進させた状態で下鉤が上鉤に形成された縦糸のループに挿通しない位置まで下鉤アームを短縮するように構成し、糸振りの作用で上鉤に縦糸のループを形成し、下鉤アームを前進させることによってループに下鉤を挿通し、糸振りの作用で下鉤に縦糸を引っ掛け、下鉤アームを後退させることによって下鉤に引っ掛けた縦糸で横糸を掬う第１の蛙又結節動作と、その後、前記第１の蛙又結節動作と逆方向の動作を行うことによって下鉤アームを前進させるとともに、伸縮機構によって下鉤アームを下鉤が上鉤に形成された縦糸のループに挿通しない位置まで短縮し、その状態で糸振りを作動させてから、伸縮機構によって下鉤アームを下鉤が上鉤に形成された縦糸のループに挿通する位置まで伸長させる準備動作と、その後、前記第１の蛙又結節動作と同方向の動作を行うことによって糸振りの作用で下鉤に縦糸を引っ掛けるとともに、下鉤アームを後退させて下鉤に引っ掛けた縦糸で横糸を掬う第２の蛙又結節動作とを行うように構成することにした。
【０００７】
また、請求項２に係る本発明では、縦糸と横糸とを結節して製造する製網方法において、糸振りの作用で上鉤に縦糸のループを形成し、下鉤を前進させることによってループに下鉤を挿通し、糸振りの作用で下鉤に縦糸を引っ掛け、下鉤を後退させることによって下鉤に引っ掛けた縦糸で横糸を掬い、その後、下鉤を上鉤に形成された縦糸のループに挿通しない位置まで前進させ、その状態で糸振りを作動させ、その後、下鉤を上鉤に形成された縦糸のループに挿通する位置まで前進させ、糸振りの作用で下鉤に縦糸を引っ掛け、下鉤を後退させることによって下鉤に引っ掛けた縦糸で横糸を掬うことにした。
【０００８】
また、請求項３に係る本発明では、縦糸と横糸とを結節して製造した網において、糸振りの作用で上鉤に縦糸のループを形成し、下鉤を前進させることによってループに下鉤を挿通し、糸振りの作用で下鉤に縦糸を引っ掛け、下鉤を後退させることによって下鉤に引っ掛けた縦糸で横糸を掬うことによって形成する蛙又結節と、さらに、その後、下鉤を上鉤に形成された縦糸のループに挿通しない位置まで前進させ、その状態で糸振りを作動させ、その後、下鉤を上鉤に形成された縦糸のループに挿通する位置まで前進させ、糸振りの作用で下鉤に縦糸を引っ掛け、下鉤を後退させることによって下鉤に引っ掛けた縦糸で横糸を掬うことによって形成する特殊結節とを混在させて製網することにした。
【０００９】
また、請求項４に係る本発明では、前記請求項３に係る本発明において、端縁三角部の一辺中途部を前記特殊結節とし、内側四角部を蛙又結節とすることにした。
【発明の効果】
【００１０】
そして、本発明では、縦糸と横糸とを蛙又結節させる動作に加えて、縦糸と横糸とを特殊な形状に結節させる動作を行うようにして、縦糸と横糸とを特殊結節した網を製造することができるようにしている。
【００１１】
これにより、同一の製網機で蛙又結節と特殊結節の両方を行うようにすることができ、蛙又結節と特殊結節とが混在した網を製造することができる。
【発明を実施するための最良の形態】
【００１２】
以下に、本発明に係る製網機と、その製網機で網を製造する製網方法と、その製網方法を用いて製造した網の具体的な構成について図面を参照しながら説明する。
【００１３】
図１に模式的に示すように、製網機１は、概ね、縦糸供給部２と横糸供給部３と結節部４と巻取り部５と駆動制御部６とで構成している。なお、図１では、１本の縦糸７と横糸８とを結節するための機構（縦糸供給部２、横糸供給部３、結節部４）を模式的に図示しているが、実際には、複数本の縦糸７と横糸８とを結節する機構が複数個並列して配置されており、複数本の縦糸７と横糸８とを同時に結節することで網９を製造するように構成している。
【００１４】
縦糸供給部２は、ボビン10に巻回した縦糸７を縦糸送り機構11と目締め機構12を介して結節部４に供給するように構成している。
【００１５】
この縦糸供給部２は、縦糸送り機構11によって所定長さの縦糸７を結節部４に供給し、結節部４での結節が終了した後に目締め機構12によって縦糸７を引張することで縦糸７と横糸８とを結節した部分を目締めするようにしている。
【００１６】
横糸供給部３は、文銭13の内部に巻回した横糸８を櫛刃状の櫛板14を介して結節部４に供給するように構成している。
【００１７】
結節部４は、糸振り15と上鉤16と下鉤17とを有し、これらが協働して縦糸７と横糸８とを所定の形態で結節できるように構成している。
【００１８】
糸振り15は、上鉤16の前方側（縦糸側）に配置され、糸振り駆動機構18によって縦糸７を係止した状態で上下左右に移動するようにしている。
【００１９】
上鉤16は、下端部に縦糸７を引っ掛けてループ29を形成する鉤部を形成するとともに、鉤部に下鉤17を貫通状に挿通させる挿通孔20を形成しており（図２参照。）、上鉤駆動機構19によって水平回動及び前後傾動するようにしている。
【００２０】
下鉤17は、先端に縦糸７を引っ掛ける鉤部21を形成するとともに、基端を下鉤アーム22の先端部に接続しており、移動機構23によって上鉤16と文銭13との間で進退移動するようにしている。なお、下鉤17は、移動機構23によって前進させた場合には、下鉤17の鉤部21が上鉤16の挿通孔20を挿通するようにし（図４参照。）、一方、移動機構23によって後退させた場合には、下鉤17の鉤部21が文銭13の後方下部で傾斜するように（図６参照。）している。
【００２１】
ここで、本発明に係る製網機１では、下鉤アーム22に伸縮機構24を設けており、移動機構23によって下鉤アーム22を前進させた状態において、伸縮機構24によって下鉤アーム22を伸張させた場合には、下鉤17の鉤部21が上鉤16の挿通孔20を挿通するようにし（図４参照。）、一方、伸縮機構24によって下鉤アーム22を短縮させた場合には、下鉤17の鉤部21が上鉤16の挿通孔20を挿通しないように（図８参照。）している。
【００２２】
巻取り部５は、結節部４で縦糸７と横糸８とを結節した網９を目送り機構25を介して巻取りローラ26に巻取るように構成している。
【００２３】
上記した縦糸供給部２と横糸供給部３と結節部４と巻取り部５は、それぞれ駆動制御部６で駆動制御されており、駆動制御部６に設けた駆動源に縦糸送り機構11、目締め機構12、糸振り駆動機構18、上鉤駆動機構19、移動機構23、伸縮機構24、目送り機構25をそれぞれ連動連結している。
【００２４】
これにより、上記製網機１では、駆動制御部６に設けた駆動源に糸振り15と上鉤16と下鉤アーム22とを連動連結するとともに、上鉤16と文銭13との間で進退自在に配設した下鉤アーム22に下鉤17を接続し、下鉤アーム22に伸縮機構24を設けた構成としている。
【００２５】
そして、上記構成の製網機１では、以下に説明する製網方法によって、縦糸７と横糸８とを蛙又結節27（図13(a)参照。）し、或いは、縦糸７と横糸８とを特殊結節28（図13(b)参照。）して、網９を製造するようにしている。
【００２６】
ここで、製網機１は、縦糸７と横糸８とを特殊結節28する場合には、以下に説明する第１の蛙又結節動作と準備動作と第２の蛙又結節動作とを連続して行い、また、縦糸７と横糸８とを蛙又結節27する場合には、第１の蛙又結節動作だけを行うようにしている。
【００２７】
まず、第１の蛙又結節動作では、図２に示すように、下鉤17を上鉤16の後方側（横糸側）で待機させた初期状態にする。このときに、伸縮機構24によって下鉤アーム22を伸張させた状態としておく。
【００２８】
次に、図３に示すように、糸振り15と上鉤16とが協働して、上鉤16の鉤部に縦糸７のループ29を形成する。
【００２９】
次に、図４に示すように、伸縮機構24によって下鉤アーム22を伸張させた状態のまま下鉤17（下鉤アーム22）を前進させて、下鉤17の鉤部21が上鉤16の挿通孔20を挿通して上鉤16に形成した縦糸７のループ29を挿通した状態にする。
【００３０】
次に、図５に示すように、糸振り15の作用によって、下鉤17の鉤部21に縦糸７を引っ掛けた状態にする。
【００３１】
次に、図６に示すように、下鉤17（下鉤アーム22）を後退させて、下鉤17の鉤部21に引っ掛けた縦糸７をループ状に引き出して文銭13を潜らせ、文銭13の後方下部で下鉤17の鉤部21に引っ掛けた縦糸７を開放し、これにより、文銭13から供給される横糸８を縦糸７で掬う。ここで、湿度や気温や材質などの影響によって縦糸７の収縮が異なるために、常に一定量の縦糸７が下鉤17によって引き出されるようにエンコーダを用いて制御するようにしている。
【００３２】
ここまでの動作によって第１の蛙又結節動作が終了する。この後で、目締めを行えば（図12参照。）、縦糸７と横糸８とが図13(a)に示すように蛙又結節27される。
【００３３】
次に、準備動作では、目締めを行わずに、上記第１の蛙又結節動作と逆方向の動作を行う。すなわち、図７に示すように、上鉤16の鉤部に縦糸７のループ29を形成した状態のまま、伸縮機構24によって下鉤アーム22を伸張させた状態で下鉤17（下鉤アーム22）を前進させる。
【００３４】
このときに、図８に示すように、伸縮機構24によって下鉤アーム22を短縮させた状態にして、下鉤17（下鉤アーム22）を前進させた状態で下鉤17の鉤部21が上鉤16の挿通孔20を挿通しない（上鉤16に形成した縦糸７のループ29を挿通しない）ようにする。
【００３５】
次に、図９に示すように、糸振り15を空作動させてから、伸縮機構24によって下鉤アーム22を伸張させて、下鉤17の鉤部21が上鉤16の挿通孔20を挿通して上鉤16に形成した縦糸７のループ29を挿通した状態にする。
【００３６】
ここまでの動作によって準備動作が終了し、これにより、第１の蛙又結節動作における図４に示した状態と同じ状態に戻り、引き続き、上記第１の蛙又結節動作と同方向の動作を行う。
【００３７】
すなわち、図10に示すように、糸振り15の作用によって、下鉤17の鉤部21に縦糸７を引っ掛けた状態にし、次に、図11に示すように、下鉤17（下鉤アーム22）を後退させて、下鉤17の鉤部21に引っ掛けた縦糸７をループ状に引き出して文銭13を潜らせ、文銭13の後方下部で下鉤17の鉤部21に引っ掛けた縦糸７を開放し、これにより、文銭13から供給される横糸８を縦糸７で掬う。ここでも、湿度や気温や材質などの影響によって縦糸７の収縮が異なるために、常に一定量の縦糸７が下鉤17によって引き出されるようにエンコーダを用いて制御するようにしている。
【００３８】
ここまでの動作によって第２の蛙又結節動作が終了する。この後で、図12に示すように、上鉤16を傾動させて鉤部21から縦糸７のループ29を開放し、目締め機構12を作動させて目締めを行い、その後、所定量だけ縦糸送り機構11と目送り機構25を作動させる。
【００３９】
これにより、図13(b)に示すように蛙又結節27よりも縦糸７と横糸８が余分に絡まった特殊な形状に縦糸７と横糸８とが特殊結節28される。
【００４０】
以上に説明したように、上記製網機１では、第１の蛙又結節動作による製網方法を行うことで縦糸７と横糸８とを蛙又結節27することができ、第１の蛙又結節動作に続けて準備動作と第２の蛙又結節動作とを行う製網方法を行うことで縦糸７と横糸８とを特殊結節28することができる。
【００４１】
そして、上記製網機１では、蛙又結節27と特殊結節28とを交互に行うことができ、網９の所望の部分を特殊結節し、その他の部分を蛙又結節27することができ、蛙又結節27と特殊結節28とが混在した網９を製造することもできる。
【００４２】
そのため、図14に示すように、長方形状の網９を製造する場合に、最初と最後だけ特殊結節28する動作を行い、それ以外では蛙又結節27する動作を連続して行うことで、網９の端縁に三角形状に形成される端縁三角部30の一辺の中途部での結節を特殊結節28とし、網９の端縁よりも内側に四角形状に形成される内側四角部31での結節を蛙又結節27としたものを製造することもできる。
【００４３】
以上に説明したように、上記製網機１では、糸振り15の作用で上鉤16に縦糸７のループ29を形成し、下鉤アーム22を前進させることによってループ29に下鉤17を挿通し、糸振り15の作用で下鉤17に縦糸７を引っ掛け、下鉤アーム22を後退させることによって下鉤17に引っ掛けた縦糸７で横糸８を掬って、縦糸７と横糸８とを蛙又結節27できるように構成している。
【００４４】
しかも、上記製網機１では、下鉤アーム22に伸縮機構24を設けて、下鉤アーム22を前進させた状態で下鉤17が上鉤16に形成された縦糸７のループ29に挿通しない位置まで下鉤アーム22を短縮するように構成している。
【００４５】
そして、上記製網機１では、糸振り15の作用で上鉤16に縦糸７のループ29を形成し、下鉤アーム22を前進させることによってループ29に下鉤17を挿通し、糸振り15の作用で下鉤17に縦糸７を引っ掛け、下鉤アーム22を後退させることによって下鉤17に引っ掛けた縦糸７で横糸８を掬う第１の蛙又結節動作と、その後、第１の蛙又結節動作と逆方向の動作を行うことによって下鉤アーム22を前進させるとともに、伸縮機構24によって下鉤アーム22を下鉤17が上鉤16に形成された縦糸７のループ29に挿通しない位置まで短縮し、その状態で糸振り15を作動させてから、伸縮機構24によって下鉤アーム22を下鉤17が上鉤16に形成された縦糸７のループ29に挿通する位置まで伸長させる準備動作と、その後、第１の蛙又結節動作と同方向の動作を行うことによって糸振り15の作用で下鉤17に縦糸７を引っ掛けるとともに、下鉤アーム22を後退させて下鉤17に引っ掛けた縦糸７で横糸８を掬う第２の蛙又結節動作とを行うように構成している。
【００４６】
そのため、上記製網機１では、同一の製網機１で蛙又結節27と特殊結節28の両方を行うようにすることができ、蛙又結節27と特殊結節28とが混在した網９を製造することができる。
【００４７】
特に、端縁三角部30の一辺中途部を特殊結節28とし、内側四角部31を蛙又結節27として網９を製造した場合には、内側四角部31での結節部分よりも引張力が増す端縁三角部30での結節部分の結節力を増大させることができ、網９の強度を増大させることができる。
【図面の簡単な説明】
【００４８】
【図１】製網機を示す模式図。
【図２】製網機の動作（製網方法）を示す説明図。
【図３】製網機の動作（製網方法）を示す説明図。
【図４】製網機の動作（製網方法）を示す説明図。
【図５】製網機の動作（製網方法）を示す説明図。
【図６】製網機の動作（製網方法）を示す説明図。
【図７】製網機の動作（製網方法）を示す説明図。
【図８】製網機の動作（製網方法）を示す説明図。
【図９】製網機の動作（製網方法）を示す説明図。
【図１０】製網機の動作（製網方法）を示す説明図。
【図１１】製網機の動作（製網方法）を示す説明図。
【図１２】製網機の動作（製網方法）を示す説明図。
【図１３】蛙又結節（ａ）と特殊結節（ｂ）を示す正面図。
【図１４】網を示す正面図。
【符号の説明】
【００４９】
１  製網機                            ２  縦糸供給部
３  横糸供給部                        ４  結節部
５  巻取り部                          ６  駆動制御部
７  縦糸                              ８  横糸
９  網                                10  ボビン
11  縦糸送り機構                      12  目締め機構
13  文銭                              14  櫛板
15  糸振り                            16  上鉤
17  下鉤                              18  糸振り駆動機構
19  上鉤駆動機構                      20  挿通孔
21  鉤部                              22  下鉤アーム
23  移動機構                          24  伸縮機構
25  目送り機構                        26  巻取りローラ
27  蛙又結節                          28  特殊結節
29  ループ                            30  端縁三角部
31  内側四角部
【図１】
2008208493.tif 000003
【図２】
2008208493.tif 000004
【図３】
2008208493.tif 000005
【図４】
2008208493.tif 000006
【図５】
2008208493.tif 000007
【図６】
2008208493.tif 000008
【図７】
2008208493.tif 000009
【図８】
2008208493.tif 000010
【図９】
2008208493.tif 000011
【図１０】
2008208493.tif 000012
【図１１】
2008208493.tif 000013
【図１２】
2008208493.tif 000014
【図１３】
2008208493.tif 000015
【図１４】
2008208493.tif 000016